(57)【特許請求の範囲】
【請求項１】
建物の躯体に、複数の長尺矩形状のＡＬＣパネル（２）を、パネル面を揃えて横に並べかつ横方向に傾斜可能に取付けて立上り壁部（８）を形成し、
上記各ＡＬＣパネルの上面部の中央に手摺支柱（４）を立設して、この手摺支柱（４）の上部に水平方向に手摺材（５）を配置した手摺の取付構造であって、
基板（３０）に突出板（３１）が立設されたジョイント部（３２）を、上記手摺支柱（４）の上部に固定し、
上記ジョイント部（３２）の突出板（３１）を、上記手摺材（５）の溝状嵌入部（２３）に突入させ、上記突出板（３１）の上部と上記溝状嵌入部（２３）の上板部との間に空間部を形成するとともに、両者を一本のボルト又はピンを用いて連結させて、
上記手摺支柱（４）を手摺材（５）に対して上記ボルト又はピンを軸にその長手方向に回動可能に取付けたことを特徴とするＡＬＣパネルで構成された壁部における手摺の取付構造。
【請求項２】
上記手摺支柱（４）を嵌着する柱部材（４２）及びアンカー部材を用いて固定される基板（４１）を有する支柱台（３）を、上記ＡＬＣパネル（２）の上面部の中央に立設したことを特徴とする請求項１に記載のＡＬＣパネルで構成された壁部における手摺の取付構造。
【請求項３】
上記ＡＬＣパネル（２）は、その下部及び中間部がそれぞれ取付金具を介して建物躯体に取付け支持されるとともに、各ＡＬＣパネル（２）の左右の側面部同士を摺動可能に当接させて上記立上り壁部（８）を形成したことを特徴とする請求項１又は請求項２に記載のＡＬＣパネルで構成された壁部における手摺の取付構造。
【発明の詳細な説明】
【０００１】
【発明の属する技術分野】
本発明は、ＡＬＣパネルで構成された立上り壁部における手摺の取付構造に関する。
【０００２】
【従来の技術】
最近、壁部の構造として、地震等の対策のため、ＡＬＣパネル（軽量気泡コンクリートパネル）の目地部に、ＡＬＣパネルの摺動を阻害するモルタル等の接着部材を充填しない、いわゆる乾式ロッキング工法が多く採用されている。これは、個々のＡＬＣパネルを建物の層間変形に積極的に追従させて摺動させる構造であり、これらＡＬＣパネルによる立上り壁部を利用した、ベランダ、バルコニー、パラペット等においても同工法の採用が望まれる。
【０００３】
上記ＡＬＣパネルの立上がり壁部をベランダとして利用し、ＡＬＣパネルの上方小口面に手摺を取付けた手摺付きＡＬＣ壁構造が開示されている（特開２０００−１２９７７３号公報）。この壁構造は、図７に示すように、ＡＬＣパネル８１を複数枚並べ、その高さ方向の中間部を建物の梁８８に配置された定規アングル８２に、また下部を梁から下方に延びる縦下地鋼材８９に固定された定規アングル８２に、それぞれ金具８３を用いて固定したものである。
【０００４】
また各ＡＬＣパネル８１の上方小口面の中央部には、上部に雄ネジが螺刻されたアンカー部材８４を植設し、これに手摺支柱部材８５が所定間隔で固定された手摺取付部材８６がナット８７で螺着されている。さらに、手摺取付部材８６の上部には手摺支柱部材９１を貫通させた笠木９２が載置され、手摺支柱部材９１の上端部に係止固定されたスペーサには手摺部９３が取付けられている。
【０００５】
【発明が解決しようとする課題】
さて、上記手摺付きＡＬＣ壁構造では、上記手摺取付部材８６は長尺材であり、これに設けられた孔の位置とアンカー部材８４の取付け位置とは合致させる必要があり、同様に、手摺支柱部材８５の位置と、笠木９２の貫通孔、及び手摺部９３に取り付けた手摺支柱部材９１の位置についてもそれぞれ合致させる必要がある等、施工性に欠け、また部品点数も多いという問題がある。併せて、上記手摺付きＡＬＣ壁構造は、専用の手摺取付用部材が必要となるため、コストアップを招くことにもなる。
【０００６】
また、地震等によりＡＬＣパネル８１の中間部と下部との間に相対変位が生じ、ＡＬＣパネル８１が傾斜摺動したときには、鋼板からなる手摺取付部材８６はＡＬＣパネル８１の上面部から浮くように作用し、アンカー部材８４を引き抜く虞れがある。さらに、ＡＬＣパネル８１とともに手摺支柱部材９１が傾斜した場合、手摺支柱部材９１と手摺部９３との取付け個所が破損することが懸念される。
【０００７】
本発明は、上記問題点に鑑みてなされたものであり、地震等によるＡＬＣパネルの傾きに対する追従性に優れ、施工性及び経済性にも優れた手摺の取付構造を提供することを課題とする。
【０００８】
【課題を解決するための手段】
以上の技術的課題を解決するため、本発明に係る手摺の取付構造は、図１に示すように、建物の躯体に、複数の長尺矩形状のＡＬＣパネル２を、パネル面を揃えて横に並べかつ横方向に傾斜可能に取付けて立上り壁部８を形成し、上記各ＡＬＣパネルの上面部の中央に手摺支柱４を立設して、この手摺支柱４の上部に水平方向に手摺材５を配置し、上記手摺支柱４を手摺材５に対してその長手方向に回動可能に取付けた構成である。
【０００９】
また、本発明に係る手摺の取付構造は、上記手摺支柱４を嵌着する柱部材４２及びアンカー部材を用いて固定される基板４１を有する支柱台３を、上記ＡＬＣパネル２の上面部の中央に立設し、上記手摺支柱４の上部において、一本のボルト又はピンを用いこれを回動軸として上記手摺材５を取付けた構成である。
【００１０】
また、本発明に係る手摺の取付構造は、上記ＡＬＣパネル２は、その下部及び中間部がそれぞれ取付金具を介して建物躯体に取付け支持されるとともに、各ＡＬＣパネル２の左右の側面部同士を摺動可能に当接させて上記立上り壁部８を形成した構成である。
【００１１】
【発明の実施の形態】
以下、本発明に係る手摺の取付構造の実施の形態を図面に基づいて説明する。
上記手摺の取付構造は図１に示すように、建物の基礎をなす躯体１の上部に複数のＡＬＣパネル２を並設して壁面を形成するとともに、ＡＬＣパネル２の上部分に立上り壁部８を形成したもので、各ＡＬＣパネル２の上面部１０に支柱台３が立設され、この支柱台３に手摺支柱４を嵌着し、この手摺支柱４の上部には水平方向に手摺材５が取付けられている。そして、手摺材５に対して直角に垂下する手摺支柱４は、所定の角度の範囲で長手方向に回動可能に取付けられている。
これらＡＬＣパネル２による壁構造は、乾式ロッキング工法によるものであり、その立上り壁部は、ベランダ、バルコニー、パラペット等に適用できる。
【００１２】
上記ＡＬＣパネル２は、所定の板厚を有する長方形状の板材であり、上部には小口として平坦な上面部１０を有し、上下の長尺方向の側面部の一方には長尺方向に凸条１１が形成され、また、他方には長尺方向に凹溝１２が形成されている。
【００１３】
一方、躯体１の上部には、躯体１に沿って鋼製のアングル材１３が固定されており、その上方には上階の建物躯体としてＨ形鋼製の梁１４が敷設され、この梁１４に沿ってアングル材１５が固定されている。各ＡＬＣパネル２には、上記アングル材１３，１５の上方近傍にそれぞれアンカーボルト１６が埋設され、これにナット１７を用いて止着金具１８が取付けられ、この止着金具１８をアングル材１５に係着して、ＡＬＣパネル２をアングル材１３，１５に固定している。また、隣接するＡＬＣパネル２同士は、一方の凸条１１の側面を、他方の凹溝１２の側面に嵌入させる形態で配置し、両者の目地部にはモルタル等を用いずに、弾性シーリング材を用いて摺動自在としている。
【００１４】
上記手摺材５はアルミニウム製で、図２に示すように、上部が円弧状で下部が平坦２２な長尺筒状のカバー部２１、及び上記平坦部２２の中央部に下方に開口した溝状嵌入部２３からなる。この溝状嵌入部２３は、平坦部２２から上下に側板部２４が形成され、この上部に上板部２５が、また側板部２４の下端部には水平外向に折れ曲がるフランジ部２６が形成されている。溝状嵌入部２３の側板部２４には、上記平坦部２２の下方側の位置に、両側板部２４を水平に通過する貫通孔２７がそれぞれ設けられており、各貫通孔２７の間隔は、手摺支柱４の配置間隔と同一である。
【００１５】
手摺支柱４は、断面正方形の角柱からなり、この上部には、基板３０の中央部から突出板３１が立設されたジョイント部３２が、基板３０の四隅をネジ３３で固定されている。上記突出板３１の略中央部には孔３４が設けられ、手摺支柱４には下端部から上方に向けて嵌合穴３５が形成されている。手摺支柱４及びジョイント部３２は、ともにアルミニウム或いは鋼製からなる。
【００１６】
ここで、上記手摺支柱４は手摺材５に対して回動可能に取付けられている。即ち、手摺材５の溝状嵌入部２３に手摺支柱４のジョイント部３２の突出板３１を突入させ、そして六角穴付きのボルト３６を、上記溝状嵌入部２３の前側の貫通孔２７から突出板３１の孔３４を経て後ろ側の貫通孔２７を通過させ、ナット３７を用いて締めつけられている。このように上記手摺の取付構造では、手摺支柱４を手摺材５に対して一本のボルト３６で連結する。他も同様にして、所定の間隔をおいて手摺材５に手摺支柱４を取り付ける。
【００１７】
図３は、ＡＬＣパネル２の上面部１０に支柱台３を取付ける状態を示したものである。この支柱台３は鋼製或いはアルミニウム製からなり、矩形状の基板４１の中央部に円柱状の柱部材４２を立設固定したものである。この基板４１の幅は、ＡＬＣパネル２の上面部１０の板厚幅と同一としている。また基板４１には、柱部材４２の左右両側に、それぞれ上面部の長手方向に長孔４３が形成されている。
【００１８】
この支柱台３は、ＡＬＣパネル２の上面部１０の長手方向の中央部に取付けられる。先ず、上面部１０の上記長孔４３と対応する２箇所に穴をあけ、これら穴内に接着材を注入する。そして、アンカー部材として、ワッシャ４４を介してコンクリート用のネジ４５をねじ込み、支柱台３を固定する。このネジ４５に代えて、図４（ｂ）に示す係止部材を併用するネジ４７を用いてもよい。並設される他のＡＬＣパネル２についても、同様にして上面部１０の中央部に支柱台３を取付ける。支柱台３をＡＬＣパネル２の中央部に固定するのは、端部に比べて取付け強度に優れ、またＡＬＣパネル２の傾斜摺動に対して、パネル端部の傾斜摺動距離よりも少なくなり、個々の手摺支柱４が手摺材５に対してバランス良く回動するためである。
【００１９】
そして、上記予め組み立てておいた手摺材５の手摺支柱４を、その嵌合穴３５を利用してそれぞれ該当する支柱台３に嵌め入れて手摺材５を装着する。この場合、取付け誤差等により支柱台３と手摺支柱４との位置がずれている場合には、支柱台３の長孔４３の範囲で支柱台３を移動して位置を調節することができる。
手摺材５の装着後は、手摺支柱４の下部近傍にセルフドリリング用のネジ４６をねじ込み、手摺支柱４を支柱台３の柱部材４２に固定する。
【００２０】
取付け後は、手摺支柱４は垂直向きに、また手摺材５は水平向きに設置され、両者は９０度の角度で交わる。そして、突出板３１の上部と溝状嵌入部２３の上板部２５との間はある程度の空間部が形成されており、ボルト３６を軸にして、手摺支柱４と手摺材５とのなす角度は９０度から所定の角度の回動が可能である。なお、突出板３１の上部を円弧状に形成すれば、突出板３１の上端部と溝状嵌入部２３の上板部２５との間の空間部は僅かで済むことになる。
【００２１】
さて、図４（ａ）に示すように、上記手摺の取付構造において、地震等により建物の基礎と上階との躯体間に層間変形が発生して、ＡＬＣパネル２が傾斜摺動し、ＡＬＣパネル２が垂直方向から所定の角度傾斜した場合、これに伴って、支柱台３及び手摺支柱４も傾斜する。すると、図４（ｂ）に示すように、手摺支柱４は手摺材５に対してボルト３６を軸に上記傾斜に対応する角度（θ）回動する。これにより、支柱台３、手摺支柱４及び手摺材５等の各部材は破損することなくＡＬＣパネル２の傾斜に追従することができる。なお、この手摺の取付構造は、建物の層間変形等により、ＡＬＣパネル２が傾斜摺動する構造であれば、いずれの形態のＡＬＣパネル２の取付け構造についても適用可能である。
【００２２】
従って、上記手摺の取付構造は、手摺支柱４を手摺材５に対して一本のボルト３６で連結し、また支柱台３、手摺支柱４及び手摺材５等の、少ない部品点数で構成され、各部材の形状も簡単であり、ともに経済性に寄与しコストダウンが図れる。また、支柱台３をＡＬＣパネル２の上部小口の中央部で固定する等強度的にも優れ、効果的に地震等による建物の層間変形に追従することができる。
【００２３】
図５は、他の実施の形態に係る手摺の取付構造を示したものである。この取付構造においては、ＡＬＣパネル２の取付構造及び支柱台３の取付け構造は上記実施の形態と同様であるのでここでは説明を省略する。また、上記実施の形態と同一のものは、同じ符号を付してその説明を省略する。
【００２４】
さて、この実施の形態では、ＡＬＣパネル２の上面部１０に立設した支柱台３に嵌め込んだ手摺支柱４と手摺材５１とは、嵌合部材６１を介して連結され、手摺支柱４は手摺材５１に対して回動可能に取付けられている。この手摺の取付構造は、上記実施の形態と同様にベランダ、バルコニー、パラペット等の立上がり壁部に適用できる。
【００２５】
上記手摺材５１は図５（ａ）（ｂ）に示すように、アルミニウム製の長尺筒状をなし、下部を残して断面円形状のカバー部５２、及びその下部には下方に開口した溝状嵌合部５３がそれぞれ形成されている。この溝状嵌合部５３は、上下に側板部５４が形成され、この上部に上板部５５が、また側板部５４の下端部はカバー部５２と接続され、両側板部５４の下部近傍にはそれぞれ内向きにフランジ部５６が設けられている。
【００２６】
上記嵌合部材６１は、全体的には直方体の形状をなし、上面部６２の中央部には長尺方向に長く貫通された長尺嵌入孔６３が形成され、また、この長尺嵌入孔６３の両側にはそれぞれ螺子が刻設されたネジ孔６４が形成されている。さらに、嵌合部材６１には、その側部を水平に貫通し長尺嵌入孔６３の略中央部を通過する円形状の貫通孔６５が設けられている。
【００２７】
手摺支柱４の上部にはジョイント部７１が設けられ、このジョイント部７１は、基板７２の中央部から突出板７３が立設され、基板７２の四隅はネジ７４を用いて手摺支柱４に固定されている。上記突出板７３の略中央上部には孔７５が設けられ、突出板７３の上部７６は円弧状に形成されている。そして図５（ａ）に示すように、ジョイント部７１の突出板７３を上記嵌合部材６１の長尺嵌入孔６３に突入して、その孔７５と貫通孔６５との中心を合わせ、ピン６６をこれらの孔に挿通して両者を連結する。この状態で、一本のピン６６を軸にジョイント部７１は手摺材５１に対して所定の角度の回動が可能である。
【００２８】
上記嵌合部材６１は、ジョイント部７１を取り付けた状態で、手摺材５１の溝状嵌合部５３に長手方向側から嵌入し、溝状嵌合部５３の溝内を所定位置まで摺動移動する。同様にして、必要な個数の嵌合部材６１を溝状嵌合部５３の所定位置に配置する。
【００２９】
一方、ＡＬＣパネル２の上面部１０には支柱台３が固定されており、これら支柱台３に、上記手摺材５１に取り付けた各手摺支柱４をそれぞれ嵌着する。このとき、手摺支柱４は手摺材５１の溝状嵌合部５３に沿って移動可能であるので、支柱台３の配置位置に応じて自由に調整することができる。そして、六角穴付きのボルト６７を、嵌合部材６１の下方から各ネジ孔６４にねじ込む。このボルト６７の先端は溝状嵌合部５３の上板部５５に圧着され、嵌合部材６１を手摺材５１に固定する。最後に、ネジ４６を用いて手摺支柱４を支柱台３に固定する。
【００３０】
図６（ａ）（ｂ）に示すように、上記手摺の取付構造においては、地震等により建物に層間変形が発生し、ＡＬＣパネル２が傾斜摺動した場合、手摺支柱４は手摺材５１に対してピン６６を軸に上記傾斜に対応する角度回動する。このため、支柱台３、手摺支柱４及び手摺材５１等の各部材は破損することなくＡＬＣパネル２の傾斜に追従することができる。なお、この手摺の取付構造は、傾斜摺動するいずれの形態のＡＬＣパネル２の取付け構造についても適用可能である。
【００３１】
従って、この手摺の取付構造についても、上記実施の形態と同様な効果が得られ、支柱台３をＡＬＣパネル２の上部小口の中央部で固定する等強度的にも優れ、効果的に地震等による建物の層間変形に追従することができる。
【００３２】
【発明の効果】
以上説明したように、本発明に係る手摺の取付構造によれば、建物の躯体に、ＡＬＣパネルを傾斜可能に取付けて立上り壁部を形成し、ＡＬＣパネルの上面部の中央に立設した手摺支柱を手摺材に対して回動可能に取付けた構成を採用したから、強度的にも優れ、各部材は破損することなく効果的に地震等による建物の層間変形に追従することができるといった効果を奏する。
【００３３】
また、本発明に係る手摺の取付構造は、支柱台を、ＡＬＣパネルの中央に立設し、手摺支柱の上部において、一本のボルト又はピンを用いこれを回動軸として手摺材を取付けた構成を採用したから、少ない部品点数で構成され各部材の形状も簡単であり経済性に優れるという効果がある。
【００３４】
また、本発明に係る手摺の取付構造は、ＡＬＣパネルの下部及び中間部がそれぞれ建物躯体に取付け支持され、ＡＬＣパネルの側面部同士を摺動可能に当接させて立上り壁部を形成したから、建物躯体の層間変形に対して、ＡＬＣパネルの傾斜摺動がむりなく行え破損が生じないという効果がある。
【図面の簡単な説明】
【図１】本発明の実施の形態に係る手摺の取付構造を示す図である。
【図２】実施の形態に係り、手摺支柱を手摺材に取付ける説明図である。
【図３】実施の形態に係り、支柱台及び手摺支柱の取付け説明図である。
【図４】実施の形態に係り、（ａ）は傾斜したＡＬＣパネルを示す図、（ｂ）は手摺材に対する手摺支柱の回動を示す図である。
【図５】本発明の他の実施の形態に係る手摺の取付構造を示す図であり、（ａ）は手摺材、嵌合部材、ジョイント部の関係を示す図、（ｂ）は手摺材に手摺支柱を取付けた状態を示す図である。
【図６】実施の形態に係り、（ａ）は回動した手摺支柱を示す図、（ｂ）は側面からみた図である。
【図７】従来例に係る手摺の取付構造を示す図である。
【符号の説明】
２  ＡＬＣパネル
３  支柱台
４  手摺支柱
５  手摺材
８  立上り壁部
４１  基板
４２  柱部材
【図１】
0004563563.tif 000002
【図２】
0004563563.tif 000003
【図３】
0004563563.tif 000004
【図４】
0004563563.tif 000005
【図５】
0004563563.tif 000006
【図６】
0004563563.tif 000007
【図７】
0004563563.tif 000008